(57)【要約】      （修正有）【課題】洗濯機の上部を覆うように形成され、開口を有する洗濯槽内部への落下物の防止、洗濯槽内部のカビ防止及び物品を載置することができる載置可能な洗濯機用カビ防止カバーを提供する。【解決手段】載置可能な洗濯機用カビ防止カバー１０は、本体部１１と支持部１２を有し、洗濯機本体の上部と洗濯槽の上部開口部全体を覆った状態で、ドライヤー、電動歯ブラシなどの物品が載置される。本体部１１は、洗濯槽の内部の湿気を緩和する目貫通孔１１ａを有しており、また、支持部１２は、磁石１２ａが設けられている。載置可能な洗濯機用カビ防止カバー１０は、本体部１１が洗濯機本体の上部を覆い洗濯槽の上部開口部全体開口を覆った状態で、支持部１２が、洗濯機の周面の金属で形成されている部分に磁石１２ａを用いて接合される。【選択図】図１
2020151060.tif 000002
【特許請求の範囲】
【請求項１】
洗濯槽と前記洗濯槽の周囲をとり囲む金属製のハウジングとを有する洗濯機本体の上部と前記洗濯機の洗濯槽の上部開口部全体を覆うように、前記洗濯機の本体上部と前記洗濯機の洗濯槽の開口部全体を覆った状態で、載置可能な洗濯機用カビ防止カバーであって、
本体部と支持部とを有し、
前記本体部は、通気性を有する目貫通孔が施された板状の部材で形成されており、
前記支持部は、１または複数の磁石が設けられている板状の部材で形成されており、
前記本体部と前記支持部は、略Ｌ字状に角度可変に互いに連結されており、
前記本体部が前記洗濯機本体の上部と前記洗濯槽上部の開口部全体を覆った状態で、前記支持部が、前記洗濯機の周面の金属部分に前記１または複数の磁石を用いて接合され且つ前記本体部が接合されることで、物品が載置されるように形成されていることを特徴とする載置可能な洗濯機用カビ防止カバー。
【請求項２】
前記本体部には、１または複数の磁石が設けられており、前記磁石と前記支持部の磁石を用いて前記洗濯機の周面の金属部分に接合され、前記本体部と前記支持部が前記略Ｌ字状に角度可変に互いに連結されていることにより前記ハウジングに取り付けられることを特徴とする請求項１に記載の載置可能な洗濯機用カビ防止カバー。
【請求項３】
前記本体部と前記支持部は、着脱自在となることを特徴とする請求項１または請求項２に記載の載置可能な洗濯機用カビ防止カバー。
【請求項４】
前記本体部は、前記載置された物品の移動を防止する枠部を有することを特徴とする請求項１から請求項３のいずれかに記載の載置可能な洗濯機用カビ防止カバー。
【請求項５】
前記本体部と前記支持部には、S管を取りつけるための複数の孔が設けられていることを特徴とする請求項１から請求項４のいずれかに記載の載置可能な洗濯機用カビ防止カバー。
【発明の詳細な説明】
【技術分野】
【０００１】
本発明は、載置可能な洗濯機用カビ防止カバーに関する。
【背景技術】
【０００２】
従来、洗濯機に装備されている洗濯槽で衣類などを洗濯した後、使用後の洗濯槽への、子供やペットなどの落下防止、貴金属や時計などの物品の落下防止、埃やゴミの混入などを防止し、電力を消費することなく、水槽または洗濯槽に付着した残水から生じる湿気やカビも防止することができる洗濯機用保護具が開示されている。
【先行技術文献】
【特許文献】
【０００３】
【特許文献１】特開２００４&#8722;２２２８８２号公報
【発明の概要】
【発明が解決しようとする課題】
【０００４】
上記の従来の技術は、ポリエステル樹脂、ポリプロピレン樹脂、ポリエチレン樹脂、ナイロン樹脂などのプラスチック材料又は鉄、銅、ステンレスなどの金属材料で形成されている通気性シートを有し、この通気性シートは、網状、格子状などで形成されており、上記のとおり洗濯槽への、子供やペットなどの落下防止、貴金属や時計などの物品の落下防止、埃やゴミの混入などを防止し、電力を消費することなく、水槽または洗濯槽に付着した残水から生じる湿気やカビも防止するものである。しかし、単にカビ防止及び落下防止ということでなく、ドライヤー、電動歯ブラシなどが載置される、つまり洗濯機用カビ防止カバーの上に置くことができるものが求められていた。
【０００５】
本発明は、こうした点に鑑みてなされたものであり、洗濯機の上部を覆うように形成され、開口を有する洗濯槽内部への落下物の防止、洗濯槽内部のカビ防止及びドライヤー、電動歯ブラシなどの物品を載置することができる載置可能な洗濯機用カビ防止カバーを提供することである。
【課題を解決するための手段】
【０００６】
上記課題を解決するために、本発明に係る載置可能な洗濯機用カビ防止カバーは、洗濯槽と前記洗濯槽の周囲をとり囲む金属製のハウジングとを有する洗濯機本体の上部と前記洗濯機の洗濯槽の上部開口部全体を覆うように、前記洗濯機の本体上部と前記洗濯機の洗濯槽の開口部全体を覆った状態で、載置可能な洗濯機用カビ防止カバーであって、本体部と支持部とを有し、前記本体部は、通気性を有する目貫通孔が施された板状の部材で形成されており、前記支持部は、１または複数の磁石が設けられている板状の部材で形成されており、前記本体部と前記支持部は、略Ｌ字状に角度可変に互いに連結されており、前記本体部が前記洗濯機本体の上部と前記洗濯槽上部の開口部全体を覆った状態で、前記支持部が、前記洗濯機の周面の金属部分に前記１または複数の磁石を用いて接合され且つ前記本体部が接合されることで、物品が載置されるように形成されていることを特徴とする。
【０００７】
本発明に係る載置可能な洗濯機用カビ防止カバーの態様について、前記本体部には、１または複数の磁石が設けられており、前記磁石と前記支持部の磁石を用いて前記洗濯機の周面の金属部分に接合され、前記本体部と前記支持部が前記略Ｌ字状に角度可変に互いに連結されていることにより前記ハウジングに取り付けられていることが好ましい。
【０００８】
本発明に係る載置可能な洗濯機用カビ防止カバーの態様について、前記本体部と前記支持部は、着脱自在となることが好ましい。
【０００９】
本発明に係る載置可能な洗濯機用カビ防止カバーの態様について、前記本体部は、前記載置された物品の移動を防止する枠部を有することが好ましい。
【００１０】
本発明に係る載置可能な洗濯機用カビ防止カバーの態様について、前記本体部と前記支持部には、Ｓ管を取りつけるための複数の孔が設けられていることが好ましい。
【発明の効果】
【００１１】
本発明によれば、洗濯機の上部を覆うように形成され、開口を有する洗濯槽内部への落下物の防止、洗濯槽内部のカビ防止、臭い防止及びドライヤー、電動歯ブラシなどの物品を載置することができる載置可能な洗濯機用カビ防止カバーを提供することができる。
【図面の簡単な説明】
【００１２】
【図１】実施形態の載置可能な洗濯機用カビ防止カバーの一例を示す模式図である。
【図２】載置可能な洗濯機用カビ防止カバーの使用の一例を示す参考図である。
【発明を実施するための形態】
【００１３】
以下、本発明の載置可能な洗濯機用カビ防止カバーの実施形態を、図１及び図２を用いて説明する。図１（ａ）は、実施形態の載置可能な洗濯機用カビ防止カバー１０を上から見た一例を示す模式図である。図１（ｂ）は、実施形態の載置可能な洗濯機用カビ防止カバー１０を正面から見た一例を示す模式図である。図２（ａ）は、載置可能な洗濯機用カビ防止カバー１０が洗濯機に用いられている一例を示す参考図である。図２（ｂ）は、載置可能な洗濯機用カビ防止カバー１０が洗濯機の周面に接合されている一例を示す参考図である。
【００１４】
載置可能な洗濯機用カビ防止カバー１０は、洗濯槽とこの洗濯槽の周囲をとり囲む金属製のハウジングとを有する洗濯機の本体の上部と洗濯機の洗濯槽の上部開口部全体を覆うように形成されており、洗濯機の本体上部と洗濯機の洗濯槽の開口部全体を覆った状態で物品が載置されるように形成されているものである。載置可能な洗濯機用カビ防止カバー１０に載置、つまり置くことができる物品は、ドライヤー、電動歯ブラシなどであり、家庭内の使用状態により多種のものが対象になる。
【００１５】
載置可能な洗濯機用カビ防止カバー１０は、略Ｌ字状に角度可変に互いに連結されている本体部１１と支持部１２を有している。すなわち、本体部１１と支持部１２の連結は、本体部１１が洗濯機の上面を覆い、且つ、支持部１２が洗濯機の周面に接合するように略Ｌ字状に連結されている。
【００１６】
本体部１１は、通気性を有する目貫通孔１１ａが施された板状の部材で形成されており、板状の部材は、合成樹脂、金属などであるが、これに限定されず適宜最適な部材を選択すればよい、また、目貫通孔１１ａは、洗濯槽の内部の湿気を緩和するものであり、目貫通孔１１ａを有する形状は。網状、格子状などであるが、これらに限定されず適宜最適な形状にすればよい。
【００１７】
支持部１２は、１または複数の磁石１２ａが設けられている板状の部材で形成されている。この例においては、磁石１２ａは、２個であり、支持部１２が洗濯機の金属部分に磁力で接合される構成となっているが、これに限定されず適宜最適な個数及び場所に設ければよい。
【００１８】
本体部１１は、洗濯機の本体の上部を覆うと共に洗濯槽の上部開口部全体を覆うように形成されており、本体部１１が洗濯機の上部開口部全体を覆った状態で、支持部１２が、洗濯機の周面の金属で形成されている部分に磁石１２ａの磁力で接合される。すなわち、本体部１１と支持部１２が、上記のとおり略Ｌ字状に角度可変に互いに連結されていることにより、載置可能な洗濯機用カビ防止カバー１０を洗濯機のハウジングに取り付けることができる。なお、ここでいう接合とは取り外し可能な状態である。
【００１９】
上記の載置可能な洗濯機用カビ防止カバー１０は、洗濯機の上部開口部全体を覆うことができ、カビ防止、落下防止、臭い防止、必要に応じドライヤー、電動歯ブラシなどの物品を本体部１１に置くことができるという顕著な効果を有するものである。
【００２０】
また、本体部１１は、１または複数の磁石１２ａを設けてもよく、この例においては、本体部１１が矩形であり、４個の磁石１２ａが各隅設けられている。このように本体部１１に磁石１２ａを設けることで、載置可能な洗濯機用カビ防止カバー１０は、支持部１２の磁石１２ａともに洗濯機の正面と側面、つまり周面の金属部分に磁力で接合することができる。このような構成にすることで、洗濯機を用いて洗濯するときに、載置可能な洗濯機用カビ防止カバー１０を、簡易に効果的に収納することができる。
【００２１】
本体部１１と支持部１２は、例えば、着脱自在となるように形成されており、このようにすることで、搬送、収納などにおいてより便利なものとすることができる。さらに本体部１１には、載置された物品を固定するために枠部を設けてもよい。このような枠部を設けることで本体部１１に置かれた物品が滑り移動することを防止することができる。加えて、本体部１１と支持部１２には、Ｓ管などが取りつけられる複数の孔を設けてもよい。また、本体部１１と支持部１２は、上記のとおり着脱自在であり、なおかつ、Ｌ字になる本体部１１と支持部１２の接合において、ある程度のあそび（ゆるみ）がある様にすることで、洗濯機周面に支持部１２が磁石で接着し易くすることとする。本体部１１と支持部１２のＬ字を９０°に固定すると洗濯機本体上部が少し斜めになっているので磁石で接着しにくい場合があるためこのような構成となっている。
【００２２】
上記の構成を有する載置可能な洗濯機用カビ防止カバー１０は、洗濯槽などに付着した残水から生じる湿気を抑制することができカビなどの発生を防止することができ、物品の落下を防止することができ、本発明の特徴であるドライヤー、電動歯ブラシなどの物品を安定して置くことを実現することができ、洗濯機の上部を有効活用することができる優れたものである。
【００２３】
以上、本発明の有する特徴及び優れた点を上記実施形態に記載したが、本発明は、本願の特許登録請求の範囲で使用されている言葉を広く一般的な意味に拡張して実施することができる。
【００２４】
また、本発明の載置可能な洗濯機用カビ防止カバーは、大きさや形状、素材の種類、厚さ、重さなどについては多様な実施形態が可能であり、それらについて本実施形態と異なる形態による実施は、本発明の技術的範囲に含まれる。
【符号の説明】
【００２５】
１０    載置可能な洗濯機用カビ防止カバー
１１    本体部
１１ａ  目貫通孔
１２    支持部
１２ａ  磁石
【図１】
2020151060.tif 000003
【図２】
2020151060.tif 000004
【手続補正書】
【提出日】平成31年3月20日(2019.3.20)
【手続補正１】
【補正対象書類名】明細書
【補正対象項目名】０００３
【補正方法】変更
【補正の内容】
【０００３】
【特許文献１】特開２００４―２２２８８２号公報
【手続補正書】
【提出日】令和1年5月21日(2019.5.21)
【手続補正１】
【補正対象書類名】特許請求の範囲
【補正対象項目名】全文
【補正方法】変更
【補正の内容】
【特許請求の範囲】
【請求項１】
洗濯槽と前記洗濯槽の周囲をとり囲む金属製のハウジングとを有する洗濯機本体の上部と前記洗濯機の洗濯槽の上部開口部全体を覆うように、前記洗濯機の本体上部と前記洗濯機の洗濯槽の開口部全体を覆った状態で、載置可能な洗濯機用カビ防止カバーであって、
本体部と支持部とを有し、
前記本体部は、通気性を有する目貫通孔が施された板状の部材で形成されており、
前記支持部は、１または複数の磁石が設けられている板状の部材で形成されており、
前記本体部と前記支持部は、略Ｌ字状に角度可変に互いに連結されており、
前記本体部が前記洗濯機本体の上部と前記洗濯槽上部の開口部全体を覆った状態で、前記支持部が、前記洗濯機の周面の金属部分に前記１または複数の磁石を用いて接合され且つ前記本体部が接合されることで、物品が載置されるように形成されていることを特徴とする載置可能な洗濯機用カビ防止カバー。
【請求項２】
前記支持部の１または複数の磁石は、支持部用磁石であり、
前記本体部には、１または複数の本体部用磁石が設けられており、前記本体部用磁石と前記支持部用磁石を用いて前記洗濯機の周面の金属部分に接合され、前記本体部と前記支持部が前記略Ｌ字状に角度可変に互いに連結されていることにより前記ハウジングに取り付けられることを特徴とする請求項１に記載の載置可能な洗濯機用カビ防止カバー。
【請求項３】
前記本体部と前記支持部は、着脱自在となることを特徴とする請求項１または請求項２に記載の載置可能な洗濯機用カビ防止カバー。
【請求項４】
前記本体部は、前記載置された物品の移動を防止する枠部を有することを特徴とする請求項１から請求項３のいずれかに記載の載置可能な洗濯機用カビ防止カバー。